(57)【要約】【課題】各アンテナ素子の配置位置を視覚的に認識可能にして、検査前の被検体へのアンテナ素子の取り付け作業を容易に行うこと。【解決手段】受信用アンテナＡ１〜Ａｎの配置位置に対応付けられた異なる文字列、たとえば「ＥＲ」、「ＥＬ」、「ＨＲ」、「ＨＬ」、「ＨＭ」などからなる認識情報部、ここでは「ＥＲ」からなる認識情報部Ａ１４を受信用アンテナＡ１の樹脂プレートＡ１３に設けることで、各受信用アンテナＡ１〜Ａｎの区別がつき、かつどの受信用アンテナを被検体１のどの部位に貼付すればよいか一見して判断が可能となる。【選択図】        図３
2006000146.tif 000002
【特許請求の範囲】
【請求項１】
少なくとも１つのアンテナ素子を備え、該アンテナ素子を所定の配置位置にそれぞれ配置して、所定送信装置との無線通信が可能なアンテナ装置において、
前記アンテナ素子に対応し、予め定められた該アンテナ素子の配置位置を認識可能な外観的特徴部を、
備えることを特徴とするアンテナ装置。
【請求項２】
前記アンテナ装置は、
前記アンテナ素子の少なくとも一部を収容可能なアンテナカバーを、
さらに備えることを特徴とする請求項１に記載のアンテナ装置。
【請求項３】
前記外観的特徴部は、前記アンテナ素子に設けられることを特徴とする請求項１または２に記載のアンテナ装置。
【請求項４】
前記外観的特徴部は、前記アンテナカバーに設けられることを特徴とする請求項２に記載のアンテナ装置。
【請求項５】
前記外観的特徴部は、前記アンテナ素子の配置位置に対応付けられた異なる文字または文字列からなることを特徴とする請求項１〜４のいずれか一つに記載のアンテナ装置。
【請求項６】
前記外観的特徴部は、前記アンテナ素子の配置位置に対応付けられた異なる色彩を有する色彩部からなることを特徴とする請求項１〜４のいずれか一つに記載のアンテナ装置。
【請求項７】
前記外観的特徴部は、前記アンテナ素子の配置位置に対応付けられた異なる長さを有するアンテナ素子のケーブル部からなることを特徴とする請求項１〜３のいずれか一つに記載のアンテナ装置。
【請求項８】
前記外観的特徴部は、前記アンテナ素子の配置位置に対応付けられた異なるアンテナ素子の外観形状からなることを特徴とする請求項１〜３のいずれか一つに記載のアンテナ装置。
【請求項９】
前記外観的特徴部は、前記アンテナ素子の配置位置に対応付けられた異なるアンテナカバーの外観形状からなることを特徴とする請求項２または４に記載のアンテナ装置。
【発明の詳細な説明】
【技術分野】
【０００１】
本発明は、少なくとも１つのアンテナ素子を備え、このアンテナ素子を所定の配置位置にそれぞれ配置して、送信装置との無線通信を行うアンテナ装置に関するものである。
【背景技術】
【０００２】
近年、内視鏡の分野では、撮像機能と無線通信機能とが装備されたカプセル型内視鏡が登場している。このカプセル型内視鏡は、観察（検査）のために被検体である被検者の口から飲み込まれた後、被検者の生体から自然排出されるまでの観察期間、たとえば胃、小腸などの臓器の内部（体腔内）をその蠕動運動に伴って移動し、撮像機能を用いて順次撮像する構成を有する。
【０００３】
また、これら臓器内を移動するこの観察期間、カプセル型内視鏡によって体腔内で撮像された画像データは、順次Ｂｌｕｅｔｏｏｔｈなどの無線通信機能により、被検体の外部に送信され、外部の受信装置内に設けられたメモリに蓄積される。被検者がこの無線通信機能とメモリ機能を備えた受信装置を携帯することにより、被検者は、カプセル型内視鏡を飲み込んだ後、排出されるまでの観察期間であっても、不自由を被ることなく自由に行動が可能になる。観察後は、医者もしくは看護士によって、受信装置のメモリに蓄積された画像データに基づいて、体腔内の画像をディスプレイなどの表示手段に表示させて診断を行うことができる。
【０００４】
一般に、受信装置は、カプセル型内視鏡から送信される映像信号を受信するための複数のアンテナ素子を被検体外部に分散配置し、映像信号の受信誤りが少ない１つのアンテナ素子を選択切り替えして受信するようにしている。なお、特許文献１には、接着剤を有するアンテナ素子を被検体上の所定部位に接着することで被検体外部に配置し、これら複数のアンテナ素子の受信切り替えを行い、各アンテナ素子が受信する電界強度に基づいて、映像信号の発信源である被検体内のカプセル型内視鏡の位置を探知する受信機が記載されている。
【０００５】
【特許文献１】特開２００３−１９１１１号公報
【発明の開示】
【発明が解決しようとする課題】
【０００６】
しかしながら、複数のアンテナ素子を直接被検体上の各部位に接着するような場合では、各アンテナ素子の区別がないために、どのアンテナ素子を被検体外表面のどの部位に接着すればよいかが認識できないことがあり、作業者がその都度マニュアルを確認する必要があったり、またはそれぞれのアンテナ素子の接着位置を覚える必要があり、複数のアンテナ素子の検査前の取り付け作業が煩雑になり、手間と時間がかかり、これに伴って検査にかかる時間が長くなるという問題があった。
【０００７】
本発明は、上記問題に鑑みてなされたものであって、各アンテナ素子の配置位置を視覚的に認識可能にして、検査前の被検体へのアンテナ素子の取り付け作業を容易に行うことができるアンテナ装置を提供することを目的とする。
【課題を解決するための手段】
【０００８】
上述した課題を解決し、目的を達成するために、本発明にかかるアンテナ装置は、少なくとも１つのアンテナ素子を備え、該アンテナ素子を所定の配置位置にそれぞれ配置して、所定送信装置との無線通信が可能なアンテナ装置において、前記アンテナ素子に対応し、予め定められた該アンテナ素子の配置位置を認識可能な外観的特徴部を、備えることを特徴とする。
【０００９】
また、請求項２の発明にかかるアンテナ装置は、上記発明において、前記アンテナ素子の少なくとも一部を収容可能なアンテナカバーを、さらに備えることを特徴とする。
【００１０】
また、請求項３の発明にかかるアンテナ装置は、上記発明において、前記外観的特徴部は、前記アンテナ素子に設けられることを特徴とする。
【００１１】
また、請求項４の発明にかかるアンテナ装置は、上記発明において、前記外観的特徴部は、前記アンテナカバーに設けられることを特徴とする。
【００１２】
また、請求項５の発明にかかるアンテナ装置は、上記発明において、前記外観的特徴部は、前記アンテナ素子の配置位置に対応付けられた異なる文字または文字列からなることを特徴とする。
【００１３】
また、請求項６の発明にかかるアンテナ装置は、上記発明において、前記外観的特徴部は、前記アンテナ素子の配置位置に対応付けられた異なる色彩を有する色彩部からなることを特徴とする。
【００１４】
また、請求項７の発明にかかるアンテナ装置は、上記発明において、前記外観的特徴部は、前記アンテナ素子の配置位置に対応付けられた異なる長さを有するアンテナ素子のケーブル部からなることを特徴とする。
【００１５】
また、請求項８の発明にかかるアンテナ装置は、上記発明において、前記外観的特徴部は、前記アンテナ素子の配置位置に対応付けられた異なるアンテナ素子の外観形状からなることを特徴とする。
【００１６】
また、請求項９の発明にかかるアンテナ装置は、上記発明において、前記外観的特徴部は、前記アンテナ素子の配置位置に対応付けられた異なるアンテナカバーの外観形状からなることを特徴とする。
【発明の効果】
【００１７】
本発明にかかるアンテナ装置は、各アンテナ素子の配置位置を視覚的に表わす外観的特徴部を、アンテナ素子に対応して設けることで、アンテナ素子の配置位置を視覚的に認識可能にして、検査前の被検体へのアンテナ素子の取り付け作業を容易に行うことができるという効果を奏する。
【発明を実施するための最良の形態】
【００１８】
以下に、本発明にかかるアンテナ装置の実施の形態を図１〜図８の図面に基づいて詳細に説明する。なお、本発明は、これらの実施の形態に限定されるものではなく、本発明の要旨を逸脱しない範囲で種々の変更実施の形態が可能である。
【００１９】
（実施の形態１）
図１は、実施の形態１にかかる受信装置を備えた無線型被検体内情報取得システムの全体構成を示す模式図である。図１において、無線型被検体内情報取得システムは、無線受信機能を有する受信装置２と、被検体１内に導入され、体腔内画像を撮像して受信装置２に対して映像信号などのデータ送信を行うカプセル型内視鏡３とを備える。また、無線型被検体内情報取得システムは、受信装置２が受信した映像信号に基づいて体腔内画像を表示する表示装置４と、受信装置２と表示装置４との間でデータの受け渡しを行うための携帯型記録媒体５とを備える。受信装置２は、アンテナ群２ａと、受信される無線信号の処理などを行う外部装置２ｂとを備え、いずれも被検体１に携帯される。
【００２０】
表示装置４は、カプセル型内視鏡３によって撮像された体腔内画像などを表示するためのものであり、携帯型記録媒体５によって得られるデータに基づいて画像表示を行うワークステーションなどのような構成を有する。具体的には、表示装置４は、ＣＲＴディスプレイ、液晶ディスプレイなどによって直接画像を表示する構成としても良いし、プリンタなどのように、他の媒体に画像を出力する構成としても良い。
【００２１】
携帯型記録媒体５は、外部装置２ｂおよび表示装置４に対して着脱可能であって、両者に対して挿着された時に情報の出力または記録が可能な構造を有する。この実施の形態では、携帯型記録媒体５は、カプセル型内視鏡３が被検体１の体腔内を移動している間は、外部装置２ｂに挿着されてカプセル型内視鏡３から送信されるデータを記録する。そして、カプセル型内視鏡３が被検体１から排出された後、つまり、被検体１の内部の撮像が終了した後には、外部装置２ｂから取り出されて表示装置４に挿着され、この表示装置４によって、携帯型記録媒体５に記録されたデータが読み出される構成を有する。たとえば、外部装置２ｂと表示装置４とのデータの受け渡しを、コンパクトフラッシュ（登録商標）メモリなどから構成される携帯型記録媒体５によって行うことで、外部装置２ｂと表示装置４との間が有線で直接接続された場合よりも、被検体１が体腔内の撮影中に自由に動作することが可能となる。なお、ここでは、外部装置２ｂと表示装置４との間のデータの受け渡しに携帯型記録媒体５を使用したが、必ずしもこれに限らず、たとえば外部装置２ｂに内蔵型の他の記録装置、たとえばハードディスクを用い、表示装置４との間のデータの受け渡しのために、双方を有線または無線接続するように構成してもよい。
【００２２】
次に、図２のブロック図を用いて受信装置の構成について説明する。受信装置２は、カプセル型内視鏡３から無線送信された体腔内の画像データを受信する機能を有する。図２に示すように、直接被検体（人体）１の外表面に貼付される受信用アンテナＡ１〜Ａｎを備えたアンテナ装置としてのアンテナ群２ａと、アンテナ群２ａを介して受信された無線信号の処理などを行う外部装置２ｂとを備える。なお、各受信用アンテナＡ１〜Ａｎは、被検体１が着用するジャケットなどの衣類の表面に貼付しても良い。
【００２３】
外部装置２ｂの外表面には、図示しない電力供給用の電池を収納する電池パックが外付けされており、この電池パックが外部装置２ｂに装着されると、電池と外部装置２ｂの後述する内部機器とが電気的に接続されて、これら内部機器への電力供給が可能な状態となる。また、この外表面の上面には、受信用アンテナＡ１〜Ａｎを接続するための接続部ＣＯＮが設けられている。
【００２４】
外部装置２ｂは、カプセル型内視鏡３から送信された無線信号の処理を行う機能を有する。すなわち、外部装置２ｂは、図２に示すように、各受信用アンテナＡ１〜Ａｎの接続切り替えを行う切替スイッチＳＷと、この切替スイッチＳＷの後段に接続され、切替スイッチＳＷによって切り替え接続された受信用アンテナＡ１〜Ａｎからの無線信号を増幅し、復調する受信回路１１とを有し、さらに受信回路１１の後段には、信号処理回路１２と、サンプルホールド回路１５とが接続される。サンプルホールド回路１５の後段には、さらにＡ／Ｄ変換部１６が接続される。
【００２５】
制御部Ｃは、制御手段としての選択制御部Ｃ１を有し、信号処理回路１２、Ａ／Ｄ変換部１６、携帯型記録媒体５に対応する記憶部１３、表示部１４および切替制御部ＳＣを接続する。切替制御部ＳＣは、強度受信アンテナ番号Ｎ１および映像受信アンテナ番号Ｎ２を有し、これらの番号情報をもとに、切替スイッチＳＷの切替指示を行うとともに、サンプルホールド回路１５、Ａ／Ｄ変換部１６および選択制御部Ｃ１の処理タイミングを指示する。また、電力供給部１７は、上記電池パック内の電池からなり、上述した各内部機器への電力供給を行う。
【００２６】
外部装置２ｂの切替スイッチＳＷは、切替制御部ＳＣからの切替指示に基づき、受信用アンテナＡ１〜Ａｎからの無線信号を受信回路１１に出力する。ここで、切替スイッチＳＷは、受信用アンテナＡ１〜Ａｎの配置位置にそれぞれ対応して各受信用アンテナＡ１〜Ａｎを接続するアンテナ切替手段としての接続部ＣＯＮを有する。
【００２７】
この接続部ＣＯＮは、各コネクタＣＯＮ１〜ＣＯＮｎの未接続状態を検知する、図示しないアンテナ未接続検知機能を有している。このアンテナ未接続検知機能は、コネクタＣＯＮ１〜ＣＯＮｎ毎に設けられており、選択制御部Ｃ１は、これらアンテナ未接続検知機能から入力する未接続検知信号の有無を検知することによって、コネクタＣＯＮ１〜ＣＯＮｎの接続状態、すなわち受信用アンテナＡ１〜Ａｎが外部装置２ｂに接続されているか否かを判断することができる。
【００２８】
受信回路１１は、上述したように、無線信号を増幅し、復調した映像信号Ｓ１を信号処理回路１２に出力するとともに、増幅した無線信号の受信電界強度である受信強度信号Ｓ２をサンプルホールド回路１５に出力する。信号処理回路１２によって処理された映像データは、制御部Ｃによって記憶部１３に記憶されるとともに、表示部１４によって表示出力される。サンプルホールド回路１５によってサンプルホールドされた信号は、Ａ／Ｄ変換部１６によってデジタル信号に変換され、制御部Ｃに取り込まれ、最も大きい受信電界強度を受信した受信用アンテナを映像信号期間の受信用アンテナとして選択するとともに、この選択された受信用アンテナ以外の受信用アンテナを順次、強度受信期間の受信用アンテナとして選択し、それぞれの受信用アンテナ番号を、映像受信アンテナ番号Ｎ２、強度受信アンテナ番号Ｎ１とする信号Ｓ４として切替制御部ＳＣに出力する。ここで、選択制御部Ｃ１が切替対象の受信用アンテナとして設定するのは、信号Ｓ６をもとに現に接続された受信用アンテナＡ１〜Ａｎのみを対象とする。また、制御部Ｃは、強度受信期間の受信電界強度および映像受信期間の受信電界強度を、そのとき選択された受信用アンテナと対応付けて映像データとともに記憶部１３に記憶する。この記憶された各受信用アンテナの受信電界強度は、映像データが受信されたときの体腔内のカプセル型内視鏡３の位置を算出するための情報となる。
【００２９】
切替制御部ＳＣは、選択制御部Ｃ１に指示された強度受信アンテナ番号Ｎ１と映像受信アンテナ番号Ｎ２とを保持し、強度受信期間には強度受信アンテナ番号Ｎ１に対応する受信用アンテナＡ１〜Ａｎを選択接続するように切替スイッチＳＷに指示し、映像受信期間には映像受信アンテナ番号Ｎ２に対応する受信用アンテナＡ１〜Ａｎを選択接続するように、切替スイッチＳＷに指示する信号Ｓ５を切替スイッチＳＷに出力するとともに、サンプルホールド回路１５によるサンプルホールドタイミングを指示する信号Ｓ３ａ、Ａ／Ｄ変換部１６によるＡ／Ｄ変換タイミングを指示する信号Ｓ３ｂ、選択制御部Ｃ１による選択制御タイミングを指示する信号Ｓ３ｃを出力する。
【００３０】
アンテナ素子としての受信用アンテナＡ１〜Ａｎは、上記接続部ＣＯＮに接続するコネクタＣＯＮ１〜ＣＯＮｎを有する。また、これら受信用アンテナＡ１〜Ａｎは、同一構成からなり、ここでは代表として、図３に受信用アンテナＡ１の構成を示す。図３において、受信用アンテナＡ１は、たとえばループアンテナからなり、端部を有するループ状に形成されたループ部Ａ１１と、一端にこのループ部Ａ１１の端部が取り付けら、他端にコネクタＣＯＮ１が取り付けられるケーブル部Ａ１２と、このループ部Ａ１１の少なくとも一部、たとえばこの実施の形態では、ループ部Ａ１１の全部が埋め込まれる樹脂プレートＡ１３とから構成される。
【００３１】
樹脂プレートＡ１３は、たとえば四角を面取りした透明の略矩形の第１の透明部材としての樹脂部材からなり、埋め込まれたループ部Ａ１１の変形や断線などを防止可能に保持している。さらに、この樹脂プレートＡ１３には、たとえばプレートの一方の面の中央付近に、被検体１の外表面に配置する際の配置位置を示す外観的特徴部としての認識情報部Ａ１４が表記されている。この認識情報部Ａ１４としては、文字または文字列で構成されている。この実施の形態では、たとえば被検体（人体）の上腹部（ｅｐｉｇａｓｔｒｉｕｍ）に位置させる受信用アンテナには、ｅｐｉｇａｓｔｒｉｕｍの「Ｅ」を、下腹部（ｈｙｐｏｇａｓｔｒｉｕｍ）に位置させる受信用アンテナには、ｈｙｐｏｇａｓｔｒｉｕｍの「Ｈ」を記述し、さらに被検体の右側面、左側面および中央を示す「Ｒ」、「Ｌ」、「Ｍ」を付記して、たとえば「ＥＲ」、「ＥＬ」、「ＨＲ」、「ＨＬ」、「ＨＭ」などのように表記することが可能となる。図３では、その一例として、受信用アンテナＡ１が上腹部の右側面に配置されることを示す「ＥＲ」が、樹脂プレートＡ１３上に表記されている。この樹脂プレートＡ１３の他方の面には、たとえばアクリル系の粘着剤が塗布され、受信用アンテナＡ１を被検体１の外表面に張り付けて固定可能に構成される。
【００３２】
このように、この実施の形態では、アンテナ素子の配置位置に対応付けられた異なる文字または文字列からなる認識情報部をアンテナ素子の樹脂プレートに設けることで、各アンテナ素子の区別がつき、かつどのアンテナ素子を被検体のどの部位に貼付すればよいか一見して判断が可能となるので、各アンテナ素子の配置位置を視覚的に認識可能にして、これによって作業者が検査前の被検体へのアンテナ素子の取り付け作業を容易に行うことができる。さらに、この実施の形態では、このアンテナ素子の取り付け作業が容易になるので、取り付け時間が短くなり、これに伴って一連の検査にかかる時間を短縮することができる。
【００３３】
なお、樹脂プレートＡ１３に表記される認識情報部Ａ１４は、上記文字や文字列に限らず、たとえばアンテナ素子の配置位置に対応付けられた異なる番号で表記することも可能である。また、表記位置は、樹脂プレートＡ１３の中央付近に限らず、樹脂プレートＡ１３の任意の位置に表記することが可能である。さらに、認識情報部Ａ１４は、たとえば帯状の付箋などに表記し、上記樹脂プレートＡ１３やケーブル部Ａ１２にこの付箋を貼着させるように構成することも可能である。
【００３４】
（実施の形態２）
図４は、実施の形態２にかかる受信装置を備えた無線型被検体内情報取得システムの全体構成を示す模式図であり、図５は、図４に示したアンテナカバーの構成を示す構成図である。
【００３５】
各アンテナ素子の配置位置を視覚的に認識可能にして、検査前の被検体へのアンテナ素子の取り付け作業を容易に行うことができる。これら図において、実施の形態１と異なる点は、アンテナ群２ａが、受信用アンテナＡ１〜Ａｎと、これら受信用アンテナＡ１〜Ａｎを収容して、直接被検体（人体）１の外表面に貼付されるアンテナカバーＢ１〜Ｂｎとを備える点である。さらに、この実施の形態では、認識情報部が受信用アンテナＡ１〜Ａｎの樹脂プレートではなく、アンテナカバーＢ１〜Ｂｎに表記される点が実施の形態１と異なっている。
【００３６】
これらアンテナカバーＢ１〜Ｂｎは、同一構成からなり、ここでは代表して、図５にアンテナカバーＢ１の構成を示す。図５において、アンテナカバーＢ１は、たとえば四角を面取りした略矩形の紙、不織布またはセロハンなどから形成されるカバー部材Ｂ１１，Ｂ１２を２枚重ね合せ、かつ図４に示す斜めの破線の縁部領域で接着剤Ｂ１３によって、これらカバー部材Ｂ１１，Ｂ１２は接着されている。すなわち、この接着剤Ｂ１３で接着される縁部領域は、カバー部材Ｂ１１，Ｂ１２の三辺の縁部領域である。この接着によって、カバー部材Ｂ１１，Ｂ１２の対向する面間の中央領域には、アンテナ素子を収容する収容部Ｂ１４が形成される。この収容部Ｂ１４の内形は、アンテナ素子の外形（樹脂プレートＡ１３）と略同一の形状を有している。カバー部材Ｂ１２の外面には、たとえばアクリル系の粘着剤が塗布され、アンテナカバーＢ１を被検体１の外表面に張り付けて固定可能に構成される。なお、アンテナカバーＢ１の使用前には、この粘着剤上に図示しない剥離紙を被せて貼り付けが不可能な状態にしておき、使用時にこの剥離紙を剥がすことで粘着剤を露出させて貼り付けを可能な状態にする。
【００３７】
また、このアンテナカバーＢ１は、接着剤で接着されていない一辺の縁部領域から形成され、アンテナ素子を収容部Ｂ１４内部に挿入可能な挿入口Ｂ１６を備える。この挿入口Ｂ１６の収容部Ｂ１４側には、アンテナ素子の挿入が容易になるように、図５中、二点鎖線で示す折り目Ｂ１８が形成されている。また、この挿入口Ｂ１６を構成するカバー部材Ｂ１１の内面には、たとえばアクリル系の粘着剤が塗布され、アンテナ素子を収容部Ｂ１４内部に挿入した状態で、この挿入口Ｂ１６のカバー部材Ｂ１１と対向するカバー部材Ｂ１２の内面同士を貼り合わせることで、挿入口Ｂ１６の閉塞およびアンテナ素子の固定を可能にしている。なお、アンテナカバーＢ１の使用前には、この粘着剤上に図示しない剥離紙を被せて貼り付けが不可能な状態にしておき、使用時にこの剥離紙を剥がすことで粘着剤を露出させて貼り付けを可能な状態にする。
【００３８】
また、このカバー部材Ｂ１１には、たとえば中央付近に、被検体１の外表面に配置する際の配置位置を示す外観的特徴部としての認識情報部Ｂ１５が表記されている。この認識情報部Ｂ１５は、実施の形態１の認識情報部Ａ１４と同様に、文字または文字列で構成されており、たとえば「ＥＲ」、「ＥＬ」、「ＨＲ」、「ＨＬ」、「ＨＭ」などのように表記することが可能となる。図５では、その一例として、受信用アンテナＡ１が上腹部の右側面に配置されることを示す「ＥＲ」が、カバー部材Ｂ１１上に表記されている。
【００３９】
このように、この実施の形態では、アンテナ素子の配置位置に対応付けられた異なる文字または文字列からなる認識情報部を、このアンテナ素子が収容されるアンテナカバーに設けることで、実施の形態１と同様、各アンテナ素子の配置位置を視覚的に認識可能にして、これによって作業者が検査前の被検体へのアンテナ素子の取り付け作業を容易に行うことができる。さらに、この実施の形態では、このアンテナ素子の取り付け作業が容易になるので、取り付け時間が短くなり、これに伴って一連の検査にかかる時間を短縮することができる。
【００４０】
なお、本発明では、アンテナカバーを透明の部材で形成することも可能であり、この場合には、たとえば実施の形態１のアンテナ素子と組み合わせて使用することで、同一認識情報が表記されているかどうか両者のマッチングをとることもできる。
【００４１】
（実施の形態３）
ところで、一般に人体の腰部は、体の運動に対して、変化が少なく比較的安定した位置にある。そこで、本発明にかかる無線型被検体内情報取得システムでは、受信装置２の外部装置２ｂを、この腰部で、かつ一方の側面の位置（ベルトの位置）に設置する。このような場合、受信用アンテナの配置位置に応じて、受信用アンテナのケーブル部の長さを変化させておけば、余計なケーブル長によってケーブル部Ａ１２の絡まりや断線が発生することが少なくなり、さらに被検者の動きの邪魔になることもない。この実施の形態では、受信用アンテナの配置位置に対応させて、ケーブル部の長さを適切なケーブル長に設定することを外観的特徴部とする。
【００４２】
図６は、実施の形態３にかかる受信装置のアンテナ群の配線状態を示す配線図である。図６において、各受信用アンテナＡ１〜Ａｎは、たとえば外部装置２ｂから遠い配置位置のＡ２、Ａ１、Ａ４、Ａ３、…、Ａｎ、Ａｎ−１の順に、それぞれ異なる適切なケーブル長に設定されている。したがって、使用時には、たとえば長い順または短い順に各受信用アンテナＡ１〜Ａｎを被検体の所定配置位置に貼付することが可能となる。
【００４３】
このように、この実施の形態では、アンテナ素子の配置位置に対応付けられた異なるケーブル長を有するアンテナ素子を設けることで、実施の形態１と同様、各アンテナ素子の配置位置を視覚的に認識可能にして、これによって作業者が検査前の被検体へのアンテナ素子の取り付け作業を容易に行うことができる。さらに、この実施の形態では、このアンテナ素子の取り付け作業が容易になるので、取り付け時間が短くなり、これに伴って一連の検査にかかる時間を短縮することができる。
【００４４】
また、この実施の形態では、ケーブル長を配置位置に対応させて最適な長さに設定するので、上述したごとく余計なケーブル長によるケーブル部の絡まりや断線の発生を低減することができるとともに、受信装置を装着した後の被検者の動きの邪魔になることがなく、被検者は不自由を被ることなく自由に行動が可能になる。
【００４５】
なお、本発明では、この実施の形態３のアンテナ素子と、実施の形態１または２のアンテナ素子とを組み合わせて使用することも、むろん可能であり、この場合には２つの外観的特徴部により、さらに確実に各アンテナ素子の配置位置を視覚的に認識することが可能となる。
【００４６】
（実施の形態４）
図７は、図２に示した受信用アンテナの構成の他例を示す構成図であり、図８は、図４に示したアンテナカバーの構成の他例を示す構成図である。なお、以下の図において、図３および図５に示した受信用アンテナとアンテナカバーの構成部分と同様の構成部分に関しては、説明の都合上、同一符号を付記するものとする。
【００４７】
ところで、上述した実施の形態１では、樹脂プレートＡ１３が略矩形の受信用アンテナＡ１を示したが、この実施の形態では、受信用アンテナの配置位置に対応付けて、異なる外観形状を有する受信用アンテナ、実際には樹脂プレートの形状を変化させて形成する。すなわち、図７に示すように、受信用アンテナＡ１は、略円形の樹脂プレートＡ１３を備えており、この他に配置位置に対応付けて、たとえば実施の形態１の矩形、楕円形、三角形、逆三角形、菱形および五角形以上の多角形などに樹脂プレートを形成することが可能である。
【００４８】
このように、この実施の形態では、アンテナ素子の配置位置に対応付けられた異なる外観形状を有するアンテナ素子を設けることで、実施の形態１と同様、各アンテナ素子の配置位置を視覚的に認識可能にして、これによって作業者が検査前の被検体へのアンテナ素子の取り付け作業を容易に行うことができる。さらに、この実施の形態では、このアンテナ素子の取り付け作業が容易になるので、取り付け時間が短くなり、これに伴って一連の検査にかかる時間を短縮することができる。
【００４９】
なお、本発明では、この実施の形態４のアンテナ素子と、実施の形態１および、または実施の形態３のアンテナ素子とを組み合わせて使用することも、無論可能であり、この場合には２つ以上の外観的特徴部により、さらに確実に各アンテナ素子の配置位置を視覚的に認識することが可能となる。
【００５０】
また、図８において、アンテナ装置を、略円形の樹脂プレートＡ１３を有する受信用アンテナＡ１と（図７参照）、挿入口Ｂ１６と対向するカバー部材Ｂ１１，Ｂ１２の一辺を半円形に形成した半円半矩形のアンテナカバーＢ１とから構成する。また、収容部Ｂ１４も、アンテナカバーＢ１の外形に合わせて半円半矩形に形成することも可能である。すなわち、受信用アンテナＡ１は、略円形の樹脂プレートＡ１３を備えており、アンテナカバーＢ１および収容部Ｂ１４は、半円半矩形に形成される。また、アンテナカバーＢ１は、この他に配置位置に対応付けて、たとえば実施の形態２の矩形、上記カバー部材Ｂ１１，Ｂ１２の一辺を半楕円に形成した半楕円半矩形、上記カバー部材Ｂ１１，Ｂ１２の一辺を三角形に形成した半三角半矩形および上記カバー部材Ｂ１１，Ｂ１２の一辺を五角形以上の多角形に形成した半多角半矩形などに樹脂プレートを形成することが可能である。
【００５１】
このように、この実施の形態では、アンテナ素子の配置位置に対応付けられた異なる外観形状を有するアンテナカバーを設けることで、実施の形態１と同様、各アンテナ素子の配置位置を視覚的に認識可能にして、これによって作業者が検査前の被検体へのアンテナ素子の取り付け作業を容易に行うことができる。さらに、この実施の形態では、このアンテナ素子の取り付け作業が容易になるので、取り付け時間が短くなり、これに伴って一連の検査にかかる時間を短縮することができる。
【００５２】
なお、本発明では、この実施の形態４のアンテナ素子と、実施の形態１および、または実施の形態３のアンテナ素子とを組み合わせて使用することも、無論可能であり、この場合には２つ以上の外観的特徴部により、さらに確実に各アンテナ素子の配置位置を視覚的に認識することが可能となる。
【００５３】
なお、本発明は、上記実施の形態に限らず、外観的特徴部としては、たとえばアンテナ素子の配置位置に対応付けられた異なる色彩を有する色彩部（実際には、樹脂プレートおよびケーブル部のうちの少なくとも一方）を設けることでも、上記実施の形態と同様の効果を奏することができる。
【図面の簡単な説明】
【００５４】
【図１】実施の形態１にかかる受信装置を備えた無線型被検体内情報取得システムの全体構成を示す模式図である。
【図２】図１に示した受信装置の構成を示すブロック図である。
【図３】図２に示した受信用アンテナの構成の一例を示す構成図である。
【図４】実施の形態２にかかる受信装置を備えた無線型被検体内情報取得システムの全体構成を示す模式図である。
【図５】図４に示したアンテナカバーの構成の一例を示す構成図である。
【図６】実施の形態３にかかる受信装置のアンテナ群の配線状態を示す配線図である。
【図７】図２に示した受信用アンテナの構成の他例を示す構成図である。
【図８】図４に示したアンテナカバーの構成の他例を示す構成図である。
【符号の説明】
【００５５】
１  被検体
２  受信装置
２ａ  アンテナ群
２ｂ  外部装置
３  カプセル型内視鏡
４  表示装置
５  携帯型記録媒体
１１  受信回路
１２  信号処理回路
１３  記憶部
１４  表示部
１５  サンプルホールド回路
１６  Ａ／Ｄ変換部
１７  電力供給部
Ａ１〜Ａｎ  受信用アンテナ
Ａ１１  ループ部
Ａ１２  ケーブル部
Ａ１３  樹脂プレート
Ａ１４  認識情報部
Ｂ１〜Ｂｎ  アンテナカバー
Ｂ１１，Ｂ１２  カバー部材
Ｂ１３  接着剤
Ｂ１４  収容部
Ｂ１５  認識情報部
Ｂ１６  挿入口
Ｂ１８  折り目
Ｃ  制御部
Ｃ１  選択制御部
ＣＯＮ  接続部
ＣＯＮ１〜ＣＯＮｎ  コネクタ
ＳＣ  切替制御部
ＳＷ  切替スイッチ
【図１】
2006000146.tif 000003
【図２】
2006000146.tif 000004
【図３】
2006000146.tif 000005
【図４】
2006000146.tif 000006
【図５】
2006000146.tif 000007
【図６】
2006000146.tif 000008
【図７】
2006000146.tif 000009
【図８】
2006000146.tif 000010